(57)【要約】ピクチャを表示するための、電気泳動表示パネル（１）は、駆動手段（１００）であって、各ピクチャエレメント（２）の電位差を、プリセット電位差の系列であるように、かつ、次いで、粒子（６）が前記ピクチャを表示するための位置の１つを占有することを可能にするピクチャ電位差であるように、制御する駆動手段（１００）を有する。各プリセット電位差は、プリセットエネルギを表しており、結果として、粒子（６）の位置の変化を有する。表示パネル（１）が、前記系列におけるプリセット電位差の数が比較的小さい場合でさえも、比較的高い質のピクチャを表示することができ、かつ、プリセット電位差の前記系列の結果として、ピクチャエレメント（２）の外観の比較的小さい変化を有するように、駆動手段（１００）は、更に、前記系列における各プリセット電位差に対して、粒子（６）の位置のほぼ等しい規模の変化を得るように、少なくとも複数のピクチャエレメント（２）の各ピクチャエレメント（２）に関して、前記系列におけるプリセット電位差のプリセットエネルギを、前記系列における通し番号に依存するように制御する。
2006517680.tif 000002
【特許請求の範囲】
【請求項１】
ピクチャを表示するための、電気泳動表示パネルであって、
―  流体内に帯電粒子を有する電気泳動媒体と、
―  複数のピクチャエレメントと、
―  電位差を受ける各ピクチャエレメントに関連する第１及び第２の電極と、
―  駆動手段と、
を有する電気泳動表示パネルであって、前記帯電粒子は、前記電極の傍の極端な位置と、前記電極間の中間の位置とを占有することができ、前記駆動手段は、
―  プリセット値及び関連するプリセット継続時間を有するプリセット電位差の系列であって、該系列における該プリセット値は符号が交互になっており、各プリセット電位差は、前記極端な位置の一方に存在する粒子をこれらの位置から解放するのに十分であるが、前記粒子を前記極端な位置の他方に到達させるには不十分であるプリセットエネルギを表しており、各プリセット電位差は、結果として、前記粒子の位置の変化を有する、プリセット電位差の系列であるように、かつ、
―  前記粒子が前記ピクチャを表示するための前記位置の１つを占有することを可能にする、ピクチャ電位差であるように、
各ピクチャエレメントの前記電位差を制御する、電気泳動表示パネルにおいて、前記駆動手段は、更に、前記系列における各プリセット電位差に対して、前記粒子の位置のほぼ等しい規模の変化を得るように、少なくとも複数の前記ピクチャエレメントの各ピクチャエレメントに関して、前記系列における前記プリセット電位差の前記プリセットエネルギを、前記系列における通し番号に依存するように制御することを特徴とする、電気泳動表示パネル。
【請求項２】
前記駆動手段は、更に、前記少なくとも複数の前記ピクチャエレメントの各ピクチャエレメントに関して、前記系列における前記プリセット電位差の前記プリセットエネルギは、前記通し番号の減少関数であるように制御することを特徴とする、請求項１に記載の表示パネル。
【請求項３】
前記関数が、ほぼ線形であることを特徴とする、請求項２に記載の表示パネル。
【請求項４】
前記駆動手段は、前記少なくとも複数の前記ピクチャエレメントの各ピクチャエレメントに関して、前記系列における前記プリセット電位差の前記プリセット値を、前記系列における前記プリセットエネルギを制御するように制御することを特徴とする、請求項１、２又は３に記載の表示パネル。
【請求項５】
前記駆動手段が、前記少なくとも複数の前記ピクチャエレメントの各ピクチャエレメントに関して、前記系列における前記プリセット電位差の前記プリセット継続時間を、前記系列における前記プリセットエネルギを制御するように制御することを特徴とする、請求項１、２又は３に記載の表示パネル。
【請求項６】
前記駆動手段は、更に、前記少なくとも複数の前記ピクチャエレメントの各ピクチャエレメントに関して、前記系列を、偶数個のプリセット電位差を有するように、かつ、偶数番目の通し番号を有する各プリセット電位差の前記プリセットエネルギを、各々の先行のプリセット電位差のプリセットエネルギに等しいように制御することを特徴とする、請求項１、２、３、４又は５に記載の記載の表示パネル。
【請求項７】
各ピクチャエレメントは、前記複数のピクチャエレメントの１つであることを特徴とする、請求項１、２、３、４、５又は６に記載の表示パネル。
【発明の詳細な説明】
【技術分野】
【０００１】
本発明は、ピクチャを表示するための、電気泳動表示パネルに関し、
―  流体内に帯電粒子を有する電気泳動媒体と、
―  複数のピクチャエレメントと、
―  電位差を受ける各ピクチャエレメントに関連する第１及び第２の電極と、
―  駆動手段と、
を有する電気泳動表示パネルであって、前記帯電粒子は、前記電極の傍の極端な位置と、前記電極間の中間の位置とを占有することができ、前記駆動手段は、
―  プリセット値と、関連するプリセット継続時間とを有する、プリセット電位差の系列であって、前記系列における前記プリセット値は、符号が交互しており、各プリセット電位差は、前記極端な位置の一方に存在する粒子をこれらの位置から解放するのに十分であるが、前記粒子を前記極端な位置の他方に到達させるには不十分であるプリセットエネルギを表しており、各プリセット電位差は、結果として、前記粒子の位置の変化を有する、プリセット電位差の系列であるように、かつ、
―  前記粒子が前記ピクチャを表示するための前記位置の１つを占有することを可能にする、ピクチャ電位差であるように、
各ピクチャエレメントの前記電位差を制御する、電気泳動表示パネルに関する。
【背景技術】
【０００２】
冒頭段落で述べた種類の電気泳動表示パネルの実施例は、まだ公開されていない欧州特許出願第０２０７７０１７．８号明細書（出願人整理番号ＰＨＮＬ０２０４４１）に記載されている。
【０００３】
一般的に、電気泳動表示パネルにおいて、ピクチャエレメントは、ピクチャの表示の間、前記電極間の帯電粒子の位置によって決定される外観を有する。しかしながら、前記粒子の位置は、前記電位差にだけではなく、前記電位差の履歴にも依存する。結果として、画像情報に従って表示されるピクチャは、画像情報の厳密な表現であるピクチャとは、著しく異なる。従って、表示されている前記ピクチャは、比較的低いピクチャの質を有する。前記履歴に対する依存性は、上述の電気泳動表示パネルにおいて、前記ピクチャ電圧差の印加の前に、プリセット電位差の系列であって、各プリセット電位差がほぼ同じプリセットエネルギを有するプリセット電位差の系列の印加により、軽減される。前記プリセット電位差の系列によって表される合計のエネルギが、前記履歴に対する依存性の軽減を決定する。結果として、上述の電気泳動表示パネルにおけるピクチャの質は、比較的高いものであることができる。しかしながら、各プリセット電位差は、前記粒子の位置の変化を生じる。
前記位置の変化は、前記粒子と前記電極の一方との間の距離の変化によって規定される。従って、各プリセット電位差は、ピクチャエレメントの外観の変化を生じる。この前記ピクチャエレメントの外観の変化は、前記粒子の位置の比較的大規模な変化の場合に、比較的大きいものであり、前記表示パネルの外観において、可視的なものである。前記プリセット電位差の系列の結果としての前記外観の変化の規模に対する依存性は、前記プリセットエネルギの増加関数である。従って、前記のような可視性は、前記プリセットエネルギの減少によって、軽減されることができる。しかしながら、これは、前記系列における合計のエネルギの減少のために、ピクチャの質の低下を生じる。前記可視性は、前記系列における合計のエネルギの一定値に対する、前記プリセットエネルギの減少と前記系列におけるプリセット電位差の数の増加とによって、前記ピクチャの質の低下を伴わずに、軽減されることができる。しかしながら、これは、比較的長い系列を生じ、従って、比較的遅いピクチャの更新を生じる。
【発明の開示】
【発明が解決しようとする課題】
【０００４】
上述の表示パネルの欠点は、前記系列におけるプリセット電位差の数が比較的少ない場合、プリセット電位差の前記系列の結果として、比較的高いピクチャの質とピクチャエレメントの外観の比較的小さい変化とを得ることが、困難であることにある。
【０００５】
本発明の目的は、冒頭段落に記載した種類の表示パネルであって、前記系列におけるプリセット電位差の数が比較的少ない場合でさえも、プリセット電位差の前記系列の結果として、比較的高い質のピクチャを表示し、ピクチャエレメントの外観の比較的小さい変化を有することができる表示パネルを提供することにある。
【課題を解決するための手段】
【０００６】
前記目的は、前記駆動手段が、更に、前記系列における各プリセット電位差に対して前記粒子の位置のほぼ等しい規模の変化を得るように、少なくとも複数の前記ピクチャエレメントのうちの各ピクチャエレメントに関して、前記系列におけるプリセット電位差の前記プリセットエネルギを、前記系列における通し番号に依存するように制御することによって、達成される。
【０００７】
前記特許出願の表示パネルにおいて、各プリセット電位差は、ほぼ同一のプリセットエネルギを有し、プリセット電位差の結果としての前記粒子の位置の変化の規模は、前記系列における通し番号の増加関数であることが観測されている。例は、以下のようであり得る。前記プリセット電位差の系列の印加の前、前記粒子は、流体の粘性のために比較的動けない。前記系列における各後続のプリセット電位差は、前記粒子の移動度を増加させる。従って、前記系列における各後続のプリセット電位差の前記粒子の位置の変化の規模は、増大し、この結果、前記系列における各後続のプリセット電位差によるピクチャエレメントの外観の変化は増大する。前記複数の各ピクチャエレメントに関して、本発明による表示パネルの前記系列における前記プリセット電位差は、前記系列における各プリセット電位差に対して前記粒子の位置のほぼ等しい規模の変化を得るように、前記系列における通し番号に依存するプリセットエネルギを有する。結果として、前記複数の各ピクチャエレメントに関して、前記粒子の位置の最大規模の変化は、同じ合計エネルギに対して、前記特許出願の表示パネルにおける前記粒子の位置の最大規模の変化よりも小さく、この結果、前記外観の変化は、比較的小さい。
【０００８】
実施例において、前記駆動手段は、更に、少なくとも複数の前記ピクチャエレメントの各ピクチャエレメントに対して、前記系列における前記プリセット電位差の前記プリセットエネルギを、前記通し番号の減少関数であるように制御する。これは、前記関数がほぼ線形である場合、更に好ましい。この場合、駆動方式は、前記駆動手段において、比較的簡潔に実施されることができる。
【０００９】
前記複数の各ピクチャエレメントに関して、前記系列における前記プリセットエネルギは、前記プリセット値及び前記プリセット継続時間の両方を制御することにより、制御されることができる。
【００１０】
前記駆動手段が、更に、少なくとも複数の前記ピクチャエレメントの各ピクチャエレメントに対して、前記系列における前記プリセット電位差の前記プリセット値を、前記系列におけるプリセットエネルギを制御するように、制御する場合、前記系列における前記プリセット継続時間は、ほぼ一定であり得る。
【００１１】
代替的には、前記駆動手段が、更に、少なくとも複数の前記ピクチャエレメントの各ピクチャエレメントに対して、前記系列におけるプリセット電位差の前記プリセット継続時間を、前記系列における前記プリセットエネルギを制御するように制御する場合、比較的簡潔な駆動電子機器が、前記系列における前記プリセット電位差の前記プリセット値のほぼ一定の絶対値と共に使用されることができる。
【００１２】
前記駆動手段が、更に、少なくとも複数の前記ピクチャエレメントの各ピクチャエレメントに対し、前記系列を、偶数個のプリセット電位差を有するように、かつ、偶数の通し番号を有する各プリセット電位差のプリセットエネルギを、各々の先行のプリセット電位差のプリセットエネルギにほぼ等しいように制御する場合、プリセット電位差の前記系列のＤＣ成分は、減少される。
【００１３】
上述の実施例のそれぞれにおいて、各ピクチャエレメントは、前記複数のピクチャエレメントの１つであることが好ましい。
【発明を実施するための最良の形態】
【００１４】
本発明の表示パネルのこれら及び他の見地は、添付図面を参照して、以下で更に説明され、記載される。
【００１５】
全ての図において、対応する部分は、同一の符号によって参照されている。
【００１６】
図１及び２は、第１の基板８と第２の対向する基板９と、複数のピクチャエレメント２とを有する表示パネル１の実施例を示している。好ましくは、ピクチャエレメント２は、二次元構造において、ほぼ真っ直ぐな線に沿って配されている。ピクチャエレメント２の他の配列も、代替的に可能であり、例えば、ハニカム配列が可能である。流体内に帯電粒子６を有する電気泳動媒体５は、基板８、９間に設けられている。第１及び第２電極３、４は、電位差を受ける各ピクチャエレメント２と関連付けられている。図２において、第１基板８は、各ピクチャエレメント２用に第１電極３を有し、第２基板９は、各ピクチャエレメント２用に第２電極４を有する。帯電粒子６は、電極３、４の傍の極端な位置と、電極３、４間の中間の位置とを占有することができる。各ピクチャエレメント２は、電極３、４間の帯電粒子６の位置によって決定される外観を有する。電気泳動媒体５は、これ自体は、例えば、米国特許第ＵＳ５，９６１，８０４号明細書、米国特許第ＵＳ６，１２０，８３９号明細書及び米国特許第ＵＳ６，１３０，７７４号明細書から、知られており、例えば、イー・インク（Ｅ  Ｉｎｋ）社から調達することができる。例として、電気泳動媒体５は、白い液体内に、負に帯電している黒い粒子６を有する。帯電粒子６は、例えば１５ボルトである電位差の結果として、第１の極端な位置、即ち第１電極３の傍にあり、ピクチャエレメント２の外観は、例えば、白である。ここで、ピクチャエレメント２は、第２基板９の側から観測されるものとしている。反対の極性、即ち−１５ボルトの電位差の結果として、帯電粒子６が、第２の極端な位置、即ち第２電極４の傍にいる場合、ピクチャエレメント２の外観は、黒である。帯電粒子６が、前記中間の位置（即ち電極３、４間）の１つにある場合、ピクチャエレメント２は、白と黒との間のグレイレベルである中間の外観の１つ（例えば、ライトグレイ、ミドルグレイ及びダークグレイ）を有する。駆動手段１００は、プリセット値と、関連するプリセット継続時間とを有するプリセット電位差の系列であって、該系列におけるプリセット値は符号が交互している電位差の系列であるように、各ピクチャエレメント２の電位差を制御する。
更に、各プリセット電位差は、前記極端な位置の一方に存在する粒子６をこれらの位置から解放するのに十分であるが、該粒子６が前記極端な位置の他方に到達することを可能にするには不十分であるプリセットエネルギを表している。各プリセット電位差は、結果として、粒子６の位置の変化を有する。更に、駆動手段１００は、粒子６が前記ピクチャを表示するための前記位置の１つを占有することを可能にするピクチャ電位差であるように、各ピクチャエレメント２の前記電位差を制御する。駆動手段１００は、更に、前記系列における各プリセット電位差に対して粒子６の位置のほぼ等しい規模の変化を得るように、少なくとも複数のピクチャエレメント２の各ピクチャエレメント２に対して、前記系列における前記プリセット電位差のプリセットエネルギＥを、前記系列における通し番号ｉに依存するように制御する。図３は、前記系列におけるプリセット電位差のプリセットエネルギＥと、前記通し番号ｉとの間の前記のような関係の、３つの例を示している。これらの関係は、ラベル「ａ」「ｂ」及び「ｃ」を付された線によって表されている。前記プリセット電位差の系列は、各関係に関し、前記合計のエネルギの同じ値を表している。ラベル「ｂ」によって示されている関係は、ほぼ減少関数であり、該減少関数は、局地的に（ｌｏｃａｌｌｙ）ほぼ一定である。
【００１７】
実施例において、駆動手段１００は、更に、複数のピクチャエレメント２の各ピクチャエレメントに関して、前記系列における前記プリセット電位差のプリセットエネルギＥを、通し番号ｉの減少関数であるように制御する。図３は、ラベル「ａ」及び「ｃ」を有する線によって表されている前記のような関係の２つの例を示している。ラベル「ａ」によって示されている関数は、減少関数であるのに対し、ラベル「ｃ」によって示されている関数は、線形に減少している。
【００１８】
他の実施例において、駆動手段１００は、更に、前記複数のピクチャエレメント２の各ピクチャエレメント２に関して、前記系列における前記プリセット電位差の前記プリセット値を、該系列における前記プリセットエネルギを制御するように制御する。この場合、前記系列における前記プリセット継続時間は、ほぼ一定であることができる。例として、ピクチャエレメント２の外観は、プリセット電位差の前記系列の印加の前、ライトグレイ（ＬＧで示されている）である。更に、前記ピクチャを表示する、ピクチャエレメント２のピクチャの外観は、ダークグレイ（ＤＧで示されている）である。この例に関して、ピクチャエレメント２の電位差が、図４Ａに、時間の関数として示されている。この例において、時間ｔ１から時間ｔ２までにおいて存在するプリセット電位差の前記系列は、４つのプリセット値を有し、これらは、順に、２０ボルト、−１５ボルト、１０ボルト及び−５ボルトである。各プリセット値は、例えば２０ｍｓの間、印加される。結果として、前記系列におけるプリセット電位差のプリセットエネルギは、前記通し番号に対して線形に減少する関数である。ｔ２とｔ３との間の時間間隔は、無視できるほどに小さい。ピクチャ電位差は、時間ｔ３から時間ｔ４までにおいて存在し、例えば、−１５ボルトの値と１００ｍｓの継続時間とを有する。結果として、ピクチャエレメント２は、前記ピクチャを表示する場合、ダークグレイである外観を有する。他の例として、図４Ｂに示されているように、時間ｔ１から時間ｔ２に存在するプリセット電位差の前記系列は、４つのプリセット値を有し、これらは、順に、２０ボルト、−２０ボルト、１０ボルト及び−１０ボルトである。各プリセット値は、例えば、２０ｍｓの間、印加される。結果として、前記系列における前記プリセット電位差のプリセットエネルギは、前記通し番号の減少関数であり、該減少関数は、局所的に一定である。これは、駆動手段１００であって、少なくとも複数のピクチャエレメント２の各ピクチャエレメント２に関して、前記系列を偶数個のプリセット電位差を有するように、かつ、偶数の通し番号を有する各プリセット電位差のプリセットエネルギを各々の先行のプリセット電位差のプリセットエネルギにほぼ等しいように制御する駆動手段１００を有する実施例の例でもある。有利な点として、この場合、前記複数の各ピクチャエレメント２のプリセット電位差の前記系列のＤＣ成分は、ほぼゼロである。
【００１９】
他の実施例において、駆動手段１００は、更に、前記複数のピクチャエレメント２の各ピクチャエレメント２に対して、前記系列における前記プリセット電位差の前記プリセット継続期間を、前記系列における前記プリセットエネルギを制御するように制御する。この場合、前記プリセット電位差の前記プリセット値のほぼ一定な絶対値が、前記系列において使用されることができる。例として、ピクチャエレメント２の外観は、プリセット電位差の前記系列の印加の前、ライトグレイである。更に、前記ピクチャを表示するピクチャエレメント２の前記ピクチャの外観は、ミドルグレイ（ＭＧによって示される）である。この例の場合、ピクチャエレメント２の前記電位差は、図５において時間の関数として示されている。例において、時間ｔ１からｔ２までにおいて存在するプリセット電位差の前記系列は、６つのプリセット値を有し、これらは、順に符号が交互しており、１５ボルトの規模を有している。前記プリセット値は、例えば、３０ｍｓ、３０ｍｓ、２０ｍｓ、２０ｍｓ、１０ｍｓ及び１０ｍｓの間、印加される。この場合、前記系列における前記プリセット電位差の前記プリセットエネルギは、前記通し番号の局所的に一定な減少関数であって、前記プリセット電位差の前記系列のＤＣ成分は、０である。ｔ２とｔ３との間の前記時間間隔は、無視できるほどに小さい。ピクチャ電位差は、ｔ３からｔ４において存在し、例えば、−１５ボルトの値と５０ｍｓの継続時間とを有する。結果として、ピクチャエレメント２は、前記ピクチャを表示する場合、ミドルグレイである外観を有する。
【００２０】
上述の各実施例において、各ピクチャエレメント２は、複数のピクチャエレメント２の１つであるのが好ましい。
【００２１】
前記ピクチャ電位差は、例えば、変調された電位の値であるピクチャ電位差も可能であるように、上述の実施例に限定されるものではないことは、理解されるであろう。
【図面の簡単な説明】
【００２２】
【図１】表示パネルの実施例の正面図を示している。
【図２】図１におけるII―IIに沿って切断した断面図を示している。
【図３】前記系列における通し番号ｉと該系列におけるプリセット電位差のプリセットエネルギＥとの関係の３つの例を、グラフ形式で示している。
【図４Ａ】前記実施例における前記複数のピクチャエレメントのピクチャエレメントに関して、電位差を、時間の関数として示している。
【図４Ｂ】前記実施例における前記複数のピクチャエレメントの他のピクチャエレメントに関して、電位差を、時間の関数として示している。
【図５】他の実施例における前記複数のピクチャエレメントのピクチャエレメントに関して、電位差を、時間の関数として示している。
【図１】
2006517680.tif 000003
【図２】
2006517680.tif 000004
【図３】
2006517680.tif 000005
2006517680.tif 000006
2006517680.tif 000007
【図５】
2006517680.tif 000008
【国際調査報告】
2006517680.tif 000009
2006517680.tif 000010